(57)【要約】【課題】本発明は、材料を効率的に使用でき、専用の部材を不要とすることでコストを大幅に低減することのできる折り畳みテーブルを提供することを目的とする。【解決手段】それぞれ第１の軸方向に延びる一対の第１辺、および、それぞれ第１の軸と交差する第２の軸方向に延びる一対の第２辺に取り囲まれてなる四角形のシート状部材が折り曲げられて構成される折り畳みテーブルであって、シート状部材の中央に配置された四角形の天板部と、天板部における第１の軸方向の端部それぞれから拡がる領域であり天板部の端部を支持する脚となる第１脚部と、第１脚部における第２の軸方向の端部それぞれから拡がる領域であり天板部の裏側を支持する脚となる第２脚部と、天板部における第２軸方向の端部それぞれから拡がる領域であり天板部の端部側を補強する補強部と、を備える。【選択図】図３
2019165990.tif 000002
【特許請求の範囲】
【請求項１】
それぞれ第１の軸方向に延びる一対の第１辺、および、それぞれ前記第１の軸と交差する第２の軸方向に延びる一対の第２辺に取り囲まれてなる四角形のシート状部材が折り曲げられて構成される折り畳みテーブルであって、
前記シート状部材の中央に前記第１辺および前記第２辺に沿って配置された四角形の天板部と、
前記天板部における前記第１の軸方向の端部それぞれから拡がる領域であり、それぞれを該領域の表面が前記天板部の表面と交差する面となるように同じ方向へ折り曲げることで、前記天板部の端部を支持する脚となる第１脚部と、
前記第１脚部における前記第２の軸方向の端部それぞれから拡がる領域であり、それぞれ前記第１脚部が折り曲げられた状態から前記天板部の裏面側に到達するまで折り曲げることで、前記天板部の裏側を支持する脚となる第２脚部と、
前記天板部における前記第２軸方向の端部それぞれから前記第２脚部と切り離された状態で拡がる領域であり、それぞれを該領域が前記天板部の裏面と重なるまで折り曲げることで、前記天板部の端部側を補強する補強部と、を備えており、
前記第２脚部は、前記第１、第２脚部が折り曲げられた状態で前記天板部の裏面側に対応する位置に、該折り曲げた状態で前記天板部に向けて突出する突起が形成されており、
前記補強部は、該補強部を前記天板部の裏面と重なるまで折り曲げた状態で、前記第２脚部における突起と対応する位置に該突起が嵌合する嵌合溝が形成されている、
折り畳みテーブル。
【請求項２】
前記補強部は、前記嵌合溝が形成されている領域よりも前記第２の軸方向の端部側にある領域が、当該シート状部材から切り離し可能な切離し部として形成され、
前記切離し部は、前記第１の軸方向の一端側および他端側それぞれに前記第２脚部と連結するための連結溝が形成されており、
前記第２脚部は、前記第１、第２脚部が折り曲げられた状態で、前記補強部から切り離された前記切離し部における一方の連結溝と連結するための被連結溝が形成されている、
請求項１に記載の折り畳みテーブル。
【発明の詳細な説明】
【技術分野】
【０００１】
本発明は、折り畳みテーブルに関する。
【背景技術】
【０００２】
従来からシート状部材を組み立てることにより、テーブルとして使用できるように構成された折り畳みテーブルが使用されている（特許文献１、２参照）。
【先行技術文献】
【特許文献】
【０００３】
【特許文献１】特開平9−140457号公報
【特許文献２】特開平11−178645号公報
【発明の概要】
【発明が解決しようとする課題】
【０００４】
しかし、従来の折り畳みテーブルは、シート状部材自体を複雑な矩形形状としておく必要があったり、テーブルとして使用できるようにすべく専用の固定具が必要になったりと、材料を効率的に使用できなかったり専用の部材が必要になるなどコストが高くなってしまうという問題があった。本発明は、このような課題を解決するためになされたものであり、材料を効率的に使用でき、専用の部材を不要とすることでコストを大幅に低減することのできる折り畳みテーブルを提供することを目的とする。
【課題を解決するための手段】
【０００５】
上記課題を解決するために、第１局面の折り畳みテーブルは、それぞれ第１の軸方向に延びる一対の第１辺、および、それぞれ前記第１の軸と交差する第２の軸方向に延びる一対の第２辺に取り囲まれてなる四角形のシート状部材が折り曲げられて構成される折り畳みテーブルであって、前記シート状部材の中央に前記第１辺および前記第２辺に沿って配置された四角形の天板部と、前記天板部における前記第１の軸方向の端部それぞれから拡がる領域であり、それぞれを該領域の表面が前記天板部の表面と交差する面となるように同じ方向へ折り曲げることで、前記天板部の端部を支持する脚となる第１脚部と、前記第１脚部における前記第２の軸方向の端部それぞれから拡がる領域であり、それぞれ前記第１脚部が折り曲げられた状態から前記天板部の裏面側に到達するまで折り曲げることで、前記天板部の裏側を支持する脚となる第２脚部と、前記天板部における前記第２軸方向の端部それぞれから前記第２脚部と切り離された状態で拡がる領域であり、それぞれを該領域が前記天板部の裏面と重なるまで折り曲げることで、前記天板部の端部側を補強する補強部と、を備えており、前記第２脚部は、前記第１、第２脚部が折り曲げられた状態で前記天板部の裏面側に対応する位置に、該折り曲げた状態で前記天板部に向けて突出する突起が形成されており、前記補強部は、該補強部を前記天板部の裏面と重なるまで折り曲げた状態で、前記第２脚部における突起と対応する位置に該突起が嵌合する嵌合溝が形成されている。
【０００６】
この局面における折り畳みテーブルであれば、四角形という単純なシート状部材を折り曲げ、第２脚部の突起を補強部の嵌合溝に嵌めて固定するだけで、テーブルとして使用できる構造となっており、材料から多くのシート状部材を無駄なく成形することができるようになるため、材料を効率的に使用して固定のための専用の部材も不要とすることで、コストを大幅に低減することができる。
【０００７】
また、この局面においては、第２の局面のように、前記補強部は、前記嵌合溝が形成されている領域よりも前記第２の軸方向の端部側にある領域が、当該シート状部材から切り離し可能な切離し部として形成され、前記切離し部は、前記第１の軸方向の一端側および他端側それぞれに前記第２脚部と連結するための連結溝が形成されており、前記第２脚部は、前記第１、第２脚部が折り曲げられた状態で、前記補強部から切り離された前記切離し部における一方の連結溝と連結するための被連結溝が形成されている、というようにしてもよい。
【０００８】
この局面における折り畳みテーブルであれば、シート状部材の一部分を切り離して第２脚部同士を連結することで、専用の部材を使用することなく、より強固に各部を固定することができる。
【図面の簡単な説明】
【０００９】
【図１】シート状部材を示す図
【図２】折り畳みテーブルを示す斜視図
【図３】シート状部材を示す六面図
【図４】折り畳みテーブルを示す六面図
【図５】折り畳みテーブルの連結された状態を示す斜視図
【発明を実施するための形態】
【００１０】
以下に本発明の実施形態を図面と共に説明する。
【００１１】
折り畳みテーブル１は、図１に示すように、それぞれ第１の軸方向（同図縦方向）に延びる一対の第１辺、および、それぞれ前記第１の軸と交差する第２の軸方向（同図横方向）に延びる一対の第２辺に取り囲まれてなる四角形のシート状部材１００が折り曲げられることにより、図２に示すように、テーブルとして使用できる状態となるように構成されたものである。本実施形態では、シート状部材１００として段ボールを採用している。
【００１２】
なお、シート状部材１００、および、このシート状部材１００をテーブルとして使用できる状態とした折り畳みテーブル１の六面図（背面図、左側面図は対称に現れるため省略）を図３、図４に示す。この図における破線部分は、ミシン目として実際にシート状部材に形成されたものである。
【００１３】
この折り畳みテーブル１は、図１、図２に示すように、シート状部材１００の中央に第１辺および第２辺に沿って配置された四角形の天板部１０と、天板部１０の端部を支持する脚となる第１脚部２０と、天板部１０の裏側を支持する脚となる第２脚部３０と、天板部１０の端部側を補強する補強部４０と、を備えている。
【００１４】
第１脚部２０は、天板部１０における第１の軸方向の端部それぞれから拡がる領域であり、それぞれを該領域の表面が天板部１０の表面と交差する面となるように同じ方向へ折り曲げることで、天板部１０の端部を支持する脚となる。
【００１５】
第２脚部３０は、第１脚部２０における第２の軸方向の端部それぞれから拡がる領域であり、それぞれ第１脚部２０が折り曲げられた状態から天板部１０の裏面側に到達するまで折り曲げることで、天板部１０の裏側を支持する脚となる。
【００１６】
補強部４０は、天板部１０における第２軸方向の端部それぞれから第２脚部３０と切り離された状態で拡がる領域であり、それぞれを該領域が天板部１０の裏面と重なるまで折り曲げることで、天板部１０の端部側を補強する。
【００１７】
また、第２脚部３０は、第１脚部２０、第２脚部３０が折り曲げられた状態で天板部１０の裏面側に対応する位置に、該折り曲げた状態で天板部１０に向けて突出する突起３１が形成されている。一方、補強部４０には、この補強部４０を天板部１０の裏面と重なるまで折り曲げた状態で、第１、第２脚部２０、３０が折り曲げられた状態で、第２脚部３０における突起３１と対応する位置に該突起３１が嵌合する嵌合溝４１が形成されており、この嵌合溝４１に第２脚部３０の突起３１を嵌合させることで、テーブルとして使用できる状態となる。
【００１８】
なお、本実施形態において、補強部４０の嵌合溝４１は、正面方向（図３における正面図の方向）からみた第１脚部２０と第２脚部３０との角度が９０度から０度の所定角度（本実施形態では４５度）となるまで第２脚部３０が折り曲げられることでこの第２脚部３０の突起３１と嵌合可能となる位置関係で形成されている。
【００１９】
さらに、補強部４０は、嵌合溝４１が形成されている領域よりも第２の軸方向の端部側にある領域が、当該シート状部材１００から切り離し可能な切離し部５０として形成されている。本実施形態では、補強部４０における切離し部５０との境界にミシン目を形成することにより、切離し部５０が切離し可能に構成されている。
【００２０】
この切離し部５０は、第１の軸方向の一端側および他端側それぞれに第２脚部３０と連結するための連結溝５１が形成されている。一方、第２脚部３０は、第１、第２脚部２０、３０が折り曲げられた状態で、切離し部５０における一方の連結溝５１と連結するための被連結溝３３がそれぞれ形成されており、この被連結溝３３と切離し部５１の連結溝５１を嵌合させることで、第２脚部３０同士が連結される。
【００２１】
また、本実施形態において、第２脚部３０の突起３１は、その突出量が、少なくともシート状部材１００の１枚分の厚さより大きく、かつ、シート状部材１００の２枚分の厚さ以下となるように形成されている。また、補強部４０は、嵌合溝４１が表裏方向を貫通するように形成されており、天板部１０は、第１、第２脚部２０、３０が折り曲げられた状態で、第２脚部３０における突起３１と対応する位置に該突起３１が嵌合する嵌合溝１１（本実施形態では表裏方向に貫通する溝）が形成されている。
【００２２】
さらに、第２脚部３０には、第１脚部２０との境界部分にこの境界部分を回転中心として回転するよう部分的に切離し可能に構成されたフラップ３５が形成されている。本実施形態では、第１脚部２０との境界部分を除くフラップ３５外周にミシン目を形成することにより、このミシン目でフラップ３５が回転中心を残して切離し可能となるように構成されている。
【００２３】
このフラップ３５は、図５に示すように、折り畳みテーブル１を隣接配置した状態で、隣接する折り畳みテーブル１のフラップ３５とともに折り畳みテーブル１内部に到達させることで、隣接配置された折り畳みテーブル１同士を連結することができる。
【００２４】
上記実施形態における折り畳みテーブル１であれば、四角形という単純なシート状部材１００を折り曲げ、第２脚部３０の突起３１を補強部４０の嵌合溝４１に嵌めて固定するだけで、テーブルとして使用できる構造となっており、材料から多くのシート状部材１００を無駄なく成形することができるようになるため、材料を効率的に使用して固定のための専用の部材も不要とすることで、コストを大幅に低減することができる。
【００２５】
また、シート状部材１００の一部分を切離し部５０として切り離して第２脚部３０同士を連結することで、専用の部材を使用することなく、より強固に各部を固定することができる。
【図１】
2019165990.tif 000003
【図２】
2019165990.tif 000004
【図３】
2019165990.tif 000005
【図４】
2019165990.tif 000006
【図５】
2019165990.tif 000007